(57)【特許請求の範囲】
【請求項１】
録画モードでは入力された複数の映像信号を切り替えて録画装置に出力し、再生モードでは前記録画装置から再生された複数の映像信号のうち特定の映像信号のみをモニターに出力する映像切替装置において、
録画モードでは複数の映像入力を切り替え、再生モードでは前記録画装置からの映像信号を出力する映像入力選択手段と、録画モードで切替えた映像を前記録画装置に出力する出力手段と、録画動作時は入力された映像信号を出力し、再生動作時は録画されている映像信号を出力する前記録画装置からの映像信号を解析して、前記録画装置が録画動作状態にあるか再生動作状態にあるかを判別する録画／再生検出手段と、前記録画／再生検出手段で判別した結果に基づいて自己の状態を録画モードか再生モードに切替える制御手段とを有することを特徴とする映像切替装置。
【請求項２】
前記録画／再生検出手段が、映像切替装置内部でランダムに設定している信号と前記録画装置の映像出力信号に重畳している信号とを比較し、比較結果に基づいて前記録画装置が録画動作状態あるいは再生動作状態にあるかを判定する判別手段を有することを特徴とする請求項１記載の映像切替装置。
【請求項３】
前記録画／再生検出手段が、前記録画装置に出力する映像信号の同期信号と前記録画装置から出力される映像信号から分離した同期信号とを比較し、比較結果が近似した結果の場合に前記録画装置が録画動作状態にあると判定する判別手段を有することを特徴とする請求項１記載の映像切替装置。
【請求項４】
前記録画／再生検出手段が、前記録画装置に出力する映像信号の同期信号と前記録画装置から出力される映像信号から分離した同期信号とを比較し、比較結果が近似した結果をとらない場合に前記録画装置が再生動作状態にあると判定する判別手段を有することを特徴とする請求項１記載の映像切替装置。
【請求項５】
前記録画／再生検出手段が、前記録画装置に出力する映像信号の水平同期信号と、前記録画装置から出力される映像信号から分離した水平同期信号とを比較し、前記録画装置が録画状態にあるか再生状態にあるかを判定する判別手段と、前記判別手段の判定結果に基づいて録画モードか再生モードに切替える制御手段とを有することを特徴とする請求項１に記載の映像切替装置。
【請求項６】
前記録画／再生検出手段が、前記録画装置からの映像伝送ケーブルが接続されていないときには、前記録画装置が録画状態であると判定する判別手段を有することを特徴とする請求項１に記載の映像切替装置。
【請求項７】
前記判別手段の判定結果に基づき、前記録画装置が録画動作状態か再生動作状態かを表示する手段を有することを特徴とする請求項１ないし４のいずれかに記載の映像切替装置。
【請求項８】
前記判別手段の判定結果に基づき、前記録画装置が録画動作状態か再生動作状態かを外部に出力する手段を有することを特徴とする請求項１ないし４のいずれかに記載の映像切替装置。
【発明の詳細な説明】
【０００１】
【発明の属する技術分野】
本発明は、複数の映像入力をフレームあるいはフィールド等の時間単位で切替え、録画装置に出力する、および、録画装置からの再生映像をモニターに出力する映像切替装置に関する。
【０００２】
【従来の技術】
従来、フレームスイッチャーあるいはマルチプレクサーと呼ばれる映像切替装置は、録画装置と接続され使用される。映像切替装置は、録画時には、監視カメラ等の複数の映像信号をフレームまたはフィールド等の時間単位で切替えるとともにＩＤ信号を重畳させて出力し、録画装置にて記録される。
【０００３】
一方、再生時には、録画装置から再生された映像信号に重畳されているＩＤ信号を読取り、映像切替装置において、設定しているＩＤと一致した時は、映像信号をメモリに書き込むとともに、モニターに出力する。設定しているＩＤと一致しない時は、メモリには書き込まずに、メモリに書き込まれている映像信号をモニターに出力する。
【０００４】
このように、映像信号にＩＤ信号を重畳させることにより、複数の映像を切替えながら録画した映像を再生する際、映像切替装置にてＩＤ信号を設定し、同じＩＤ信号が重畳されている映像のみをモニターに出力することができる。
【０００５】
【発明が解決しようとする課題】
しかしながら、上記従来の映像切替装置においては、録画モードと再生モードの２種類の動作モードがあり、映像切替装置に接続された録画装置の動作状態に合わせて、映像切替装置の録画／再生モードを手動で設定しなければいけなく、設定を間違えた場合、正常に録画／再生されないという問題があった。
【０００６】
本発明は、上記従来の問題を解決するもので、自動で設定し、誤動作を防止するという優れた映像切替装置を提供するものである。
【０００７】
【課題を解決するための手段】
本発明の映像切替装置は、録画モードでは入力された複数の映像信号を切り替えて録画装置に出力し、再生モードでは前記録画装置から再生された複数の映像信号のうち特定の映像信号のみをモニターに出力する映像切替装置において、
録画モードでは複数の映像入力を切り替え、再生モードでは前記録画装置からの映像信号を出力する映像入力選択手段と、録画モードで切替えた映像を前記録画装置に出力する出力手段と、録画動作時は入力された映像信号を出力し、再生動作時は録画されている映像信号を出力する前記録画装置からの映像信号を解析して、前記録画装置が録画動作状態にあるか再生動作状態にあるかを判別する録画／再生検出手段と、前記録画／再生検出手段で判別した結果に基づいて自己の状態を録画モードか再生モードに切替える制御手段とを有することを特徴とするものである。
【０００８】
この構成により、映像切替装置と録画装置との誤設定による誤動作を防ぐことができる。
【０００９】
また、本発明の映像切替装置は、判別手段の判定結果に基づき、録画装置が録画動作状態か再生動作状態かを外部に出力する手段を有することを特徴とするものである。
【００１０】
この構成により、録画装置の表示が見えないところからでも、外部に出力された信号の状態を表示させることにより、録画装置の動作状態を確認することができる。
【００１１】
【発明の実施の形態】
以下、本発明の実施の形態について、図面を用いて説明する。
【００１２】
本発明の第１の実施の形態における映像切替装置の構成について、図１を用いて説明する。
【００１３】
図１は、本発明の第１の実施の形態における映像切替装置のブロック図である。
【００１４】
映像切替装置１０１は、複数の映像入力を切替える映像入力選択手段１０２、選択された映像信号を処理する映像信号処理手段１０３、映像信号を出力する出力手段１０４、録画装置１１８の動作状態を検出する録画／再生検出手段１０５、内部同期発生回路１１６から構成される。
【００１５】
映像信号処理手段１０３は、輝度信号と色差信号に分離するＹＣ分離１０６、ＹＣ分離１０６から出力された映像信号を符号化するデコーダー１０７、映像信号を記憶するメモリ１０８、映像信号を復号化するエンコーダー１０９、１または数ビットのＨ／Ｌがランダムに出力されるビット信号やＩＤ信号を出力するビット・ＩＤ出力部１１０、エンコーダ１０９からの映像信号にビット信号やＩＤ信号を重畳させる合成部１１１から構成される。
【００１６】
出力手段１０４は、映像信号を適切なレベルに増幅し出力する出力回路１１２、映像信号の出力先を選択するセレクタ１１３から構成される。
【００１７】
録画／再生検出手段１０５は、録画装置１１８からの再生信号に重畳されているビット信号を読み取るビット読取部１１４、映像入力１０２やセレクタ１１０の制御、また、ビット信号の設定をするＣＰＵ１１５から構成される。
【００１８】
次に、本発明の第１の実施の形態における録画／再生検出の方法について、説明する。
【００１９】
まず、録画装置１１８の録画動作時と再生動作時の映像出力信号について、説明する。通常、録画装置１１８は、録画動作時、入力された映像信号を、映像出力からそのまま出力する。一方、再生動作時、テープ等に録画されている映像信号を出力する。つまり、録画動作時、映像切替装置１０１から出力した映像信号が、録画装置１１８を通り、そのまま映像切替装置１０１に入力されるため、ＣＰＵ１１５で設定したビット信号と同じビット信号が検出できる。一方、再生時は、過去に録画されたテープを再生するため、ＣＰＵ１１５で設定したビットとは異なるビット信号が検出される。
【００２０】
以上の録画／再生検出の方法を、図２のフローチャートを用いて説明する。
【００２１】
録画装置１１８の映像出力信号から、ビット読取部１１４にて、ビット信号を検出する（ステップ１）。ビット信号を検出したときは、検出したビット信号と重畳させたビット信号とを比較する（ステップ２）。ビット信号が検出できないとき、また、検出したビット信号と、設定したビット信号とが数フィールド連続して一致したときは、映像切替装置を録画モードに設定する（ステップ３、５）。また、検出したビット信号と、設定したビット信号とが一致しないときは、映像切替装置１０１を再生モードに設定する（ステップ３、４）。
【００２２】
以上の方法は、ソフトウェアでも、ハードウェアでも実現が可能である。
【００２３】
なお、録画装置１１８から映像切替装置１０１への映像伝送ケーブルが接続されていないとき、ビット読取部１１４にて、ビット信号が検出できないため、録画モードに設定される。
【００２４】
以上のように、本発明の第１の実施の形態における映像切替装置は、録画装置の映像出力信号に重畳しているビット信号を検出し、設定しているビット信号と比較することにより、別の制御線を用いることなく、自動で、録画／再生モードを切替えることができる。また、録画装置１１８から映像切替装置１０１への映像伝送ケーブルが接続されていなくても、録画モードになっているため、録画できていないというミスを防ぐことができる。
【００２５】
本発明の第２の実施の形態について、図３を用いて説明する。
【００２６】
図３は、本発明の第２の実施の形態における映像切替装置のブロック図である。
【００２７】
図１と異なる点は、録画／再生検出手段２０１が、録画装置１１８の映像出力信号から同期信号を検出する同期分離２０２と、同期分離２０２から検出された同期信号と内部同期発生回路１１６から出力された同期信号とを比較する再生検出２０３とを有している点である。
【００２８】
次に、本発明の第２の実施の形態における録画／再生検出の方法について説明する。
【００２９】
まず、再生動作時と録画動作時における録画装置１１８の映像出力信号の違いについて説明する。再生動作時、録画装置１１８のワウ、フラッーターと呼ばれる機械的な回転振動が映像出力信号に影響を与えるため、同期信号としての安定性・精度が低下してしまう。一方、録画動作時における映像出力信号は、通常、録画装置１１８の入力信号を、そのまま出力するため、映像切替装置１０１の内部同期信号と一致した信号になるとともに、同期信号としての安定性は、そのまま維持される。このように、録画装置１１８の映像出力信号の違いにより、録画装置１１８の動作状態を検出している。
【００３０】
図４は、録画／再生検出方法を示すフローチャートである。
録画装置１１８の映像出力信号から、水平同期信号を検出する（ステップ１）。検出した水平同期信号と、内部の水平同期信号との位相差をＴ１、Ｔ２時間において検出する。（ステップ２）。Ｔ１、Ｔ２時間に検出した位相差を比較する（ステップ３）。内部の水平同期信号との位相差が０か０に極めて近い値、もしくはステップ３において比較した位相差の値が近似値であれば、録画モードに設定する（ステップ４、６）。内部の水平同期信号との位相差があり、かつ、ステップ３において比較した位相差の値が近似値でなければ、再生モードに設定する（ステップ４、５）。
【００３１】
具体的な値としては、クロック周波数が３．２ＭＨｚのとき、内部の水平同期信号との位相差が１μＳ未満では録画モード、１μＳ以上では再生モードに設定する。また、ステップ３において比較した位相差の値が、０．３μＳ以上の差が発生したときは、再生モードに設定する。
【００３２】
なお、ここでは、比較する回数を１回で説明したが、判定精度を向上させるため、複数行ったデータから判定してもよい。
【００３３】
また、比較する信号として、水平同期信号を用いているが、位相差を検出できればよいので、復号同期信号（ＳＹＮＣ）を用いても構わない。
【００３４】
以下、再生検出２０３の具体的な回路について、図５を用いて説明する。
【００３５】
再生検出２０３は、位相検出部５０１と判定部５０２から構成される。
【００３６】
位相検出部５０１は、カウンター５０３、５０４、フリップフロップ（以下，ＦＦ）５０５、５０６、加算・比較器５０７、タイミング発生回路５０８から構成される。判定部５０２は、カウンター５０９、比較器５１０、ＦＦ５１１から構成される。
【００３７】
タイミング発生回路５０８にて、外部同期信号（ＥＸＴ  ＨＤ）と内部同期信号（ＩＮＴ  ＨＤ）から、タイミングパルスＴ１、Ｔ２を作成する。タイミングパルスＴ１，Ｔ２を用いてカウンター５０３、５０４からのカウンター値をＦＦ５０５、５０６に取り込み、加算・比較器５０７で相対位相差を検出する。また、タイミング発生回路５０８にて、作成したタイミングパルスにより、カウンター５０９を動作させ、加算・比較器５０７から出力された検出結果を、精度を向上させるために数回、比較器５１０に出力する。比較器５１０で比較した結果が、近似値であれば録画状態、近似値でなければ再生状態と判定する。
【００３８】
以上、判定方法をハードウェアで説明したが、ソフトウェアと組み合わせても実現可能である。
【００３９】
なお、録画装置１１８から映像切替装置１０１への映像伝送ケーブルが接続されていないときは、外部同期信号（ＥＸＴ  ＨＤ）が検出されないため、ＦＦ５０５とＦＦ５０６は同じ値となり、録画状態と判定される。
【００４０】
以上のように、本発明の第２の実施の形態における映像切替装置は、録画装置１１８の映像出力信号から水平同期信号を検出し、内部水平同期信号との相対位相差により録画装置１１８の動作状態を判別し、自動で、録画／再生モードを切替えることができる。また、録画装置１１８から映像切替装置１０１への映像伝送ケーブルが接続されていなくても、録画モードになっているため、録画できていないというミスを防ぐことができる。
【００４１】
また、上記説明したように、映像切替装置１０１において、録画装置１１８の動作状態を検出することができるため、映像切替装置１０１で録画装置１１８の状態を表示する、もしくは、検出結果を送信することにより、監視室等の離れている場所でも録画装置の録画状態の確認をすることができる。
【００４２】
【発明の効果】
以上のように、本発明は、接続している録画装置の動作状態に合わせて、別の制御線を用いることなく、映像切替装置の動作モードを自動で切替えることができるものであり、設定ミスによる誤動作、特に録画ミスを大幅に低減できると共に、録画装置の動作状態を表示または、外部に動作状態を示す信号を出力することができるものであり、録画装置の表示画面が見えなくても、録画装置の動作状態を確認することができるという有利な効果を有する映像切替装置を提供するものである。
【図面の簡単な説明】
【図１】本発明の第１の実施の形態における映像切替装置のブロック図
【図２】本発明の第１の実施の形態における録画／再生検出方法のフローチャート
【図３】本発明の第２の実施の形態における映像切替装置のブロック図
【図４】本発明の第２の実施の形態における録画／再生検出方法のフローチャート
【図５】本発明の第２の実施の形態における録画／再生検出の回路図
【符号の説明】
１０１  映像切替装置
１０２  映像入力選択手段
１０３  映像信号処理部選択
１０４  出力手段
１０５、２０１  録画／再生検出手段
１０６  Ｙ／Ｃ分離
１０７  デコーダー
１０８  メモリ
１０９  エンコーダー
１１０  ビット・ＩＤ出力部
１１１  合成部
１１２  出力回路
１１３  セレクタ
１１４  ＩＤビット読取部
１１５  ＣＰＵ
１１６  内部同期発生回路
１１７  モニター
１１８  録画装置
２０２  同期分離
２０３  再生検出
【図１】
0004277377.tif 000002
【図２】
0004277377.tif 000003
【図３】
0004277377.tif 000004
【図４】
0004277377.tif 000005
【図５】
0004277377.tif 000006